(57)【特許請求の範囲】
【請求項１】
複数の電力需要家の元にそれぞれ設置されて同一エリアに存在する１乃至複数の電力需要家に共通して設定される省エネルギー目標値を提示する複数の端末装置と、複数のエリア毎に設置され、各々のエリアに存在する１乃至複数の電力需要家の元に設置されている前記端末装置に対して省エネルギー目標値を設定する複数のエリアサーバ装置と、複数のエリア全体に対する省エネルギー目標値が電力会社から通知されるセンタサーバ装置とを備え、
センタサーバ装置は、複数のエリア毎の特徴を考慮して、電力会社から通知される前記省エネルギー目標値をそれぞれのエリア毎に配分し、当該配分後のエリア別の省エネルギー目標値をそれぞれ対応するエリアのエリアサーバ装置に送信し、
各エリアサーバ装置は、センタサーバ装置から受け取ったエリア別の省エネルギー目標値を当該エリアに存在する１乃至複数の電力需要家に対して再配分し、当該再配分後の電力需要家別の省エネルギー目標値を各電力需要家の元に設置されている端末装置に設定して提示させ、
複数のエリアサーバ装置は、それぞれに過去のエネルギー需要の情報を蓄積する蓄積手段と、蓄積手段に蓄積された過去のエネルギー需要の情報に基づいて各エリア毎のエネルギー需要を予測するエネルギー需要予測手段とを具備し、当該エネルギー需要予測手段で予測するエネルギー需要を考慮してエリア別の省エネルギー目標値を設定し、
エリアサーバ装置は、電力需要家における実際の電力需要が各エリア毎の省エネルギー目標値を達成していない期間が所定期間以上継続したらエネルギー需要予測手段でエネルギー需要を再予測することを特徴とする省エネルギー促進システム。
【請求項２】
複数の電力需要家の元にそれぞれ設置されて同一エリアに存在する１乃至複数の電力需要家に共通して設定される省エネルギー目標値を提示する複数の端末装置と、複数のエリア毎に設置され、各々のエリアに存在する１乃至複数の電力需要家の元に設置されている前記端末装置に対して省エネルギー目標値を設定する複数のエリアサーバ装置と、複数のエリア全体に対する省エネルギー目標値が電力会社から通知されるセンタサーバ装置とを備え、
センタサーバ装置は、複数のエリア毎の特徴を考慮して、電力会社から通知される前記省エネルギー目標値をそれぞれのエリア毎に配分し、当該配分後のエリア別の省エネルギー目標値をそれぞれ対応するエリアのエリアサーバ装置に送信し、
複数の端末装置は、省エネルギー目標値の達成要求に応じるか否かの選択結果を受け付ける選択結果受付手段と、選択結果受付手段で受け付ける前記選択結果を自己のエリアに設けられているエリアサーバ装置を介してセンタサーバ装置へ通知する通知手段とを具備し、
センタサーバ装置は、端末装置から通知される前記選択結果に基づき、達成要求に応じない旨の選択結果の割合が所定値以上であれば当該端末装置が存在するエリアの省エネルギー目標値を変更することを特徴とする省エネルギー促進システム。
【請求項３】
複数のエリアのうちの一部又は全部がさらに複数のエリアに細分化された階層構造を有しており、それぞれの階層における１乃至複数のエリア毎に前記エリアサーバ装置が設けられ、エリアサーバ装置の上位に位置するエリアサーバ装置では、センタサーバ装置若しくはさらに上位のエリアサーバ装置から受け取ったエリア別の省エネルギー目標値を複数の下位のエリア毎に再配分することを特徴とする請求項１又は２記載の省エネルギー促進システム。
【請求項４】
複数のエリアサーバ装置は、それぞれに温度や湿度などの環境指標を検出する環境指標検出手段と、環境指標検出手段で検出される環境指標に基づいて各エリア毎のエネルギー需要を予測するエネルギー需要予測手段とを具備し、当該エネルギー需要予測手段で予測するエネルギー需要を考慮してエリア別の省エネルギー目標値を設定することを特徴とする請求項２記載の省エネルギー促進システム。
【請求項５】
複数のエリアサーバ装置は、それぞれに過去のエネルギー需要の情報を蓄積する蓄積手段と、蓄積手段に蓄積された過去のエネルギー需要の情報に基づいて各エリア毎のエネルギー需要を予測するエネルギー需要予測手段とを具備し、当該エネルギー需要予測手段で予測するエネルギー需要を考慮してエリア別の省エネルギー目標値を設定することを特徴とする請求項２記載の省エネルギー促進システム。
【請求項６】
エリアサーバ装置は、電力需要家における実際の電力需要が各エリア毎の省エネルギー目標値を達成していない期間が所定期間以上継続したらエネルギー需要予測手段でエネルギー需要を再予測することを特徴とする請求項２記載の省エネルギー促進システム。
【請求項７】
センタサーバ装置は、全てのエリアサーバ装置に対して共通の省エネルギー目標値を配分することを特徴とする請求項１又は２記載の省エネルギー促進システム。
【請求項８】
複数の端末装置は、省エネルギー目標値の達成要求に応じるか否かの選択結果を受け付ける選択結果受付手段と、選択結果受付手段で受け付ける前記選択結果を自己のエリアに設けられているエリアサーバ装置を介してセンタサーバ装置へ通知する通知手段とを具備し、
センタサーバ装置は、端末装置から通知される前記選択結果に基づき、達成要求に応じない旨の選択結果の割合が所定値以上であれば当該端末装置が存在するエリアの省エネルギー目標値を変更することを特徴とする請求項１記載の省エネルギー促進システム。
【請求項９】
エリアサーバ装置は、それぞれの電力需要家の元に設置されている電力量計から電力量の計測値を取得し、当該計測値に基づいて各電力需要家毎の省エネルギー目標値の達成度合を判定することを特徴とする請求項１〜８の何れか１項に記載の省エネルギー促進システム。
【請求項１０】
エリアサーバ装置は、省エネルギー目標値の達成度合が相対的に高い電力需要家に対しては、省エネルギー目標値の達成度合が相対的に低い電力需要家よりも省エネルギー目標値を多く配分することを特徴とする請求項９記載の省エネルギー促進システム。
【発明の詳細な説明】
【技術分野】
【０００１】
本発明は、電力会社から電力供給を受ける電力需要家において省エネルギーを促進するための省エネルギー促進システムに関するものである。
【背景技術】
【０００２】
地球温暖化の原因である二酸化炭素の排出量を削減するためには、工場やオフィス並びに住宅などの全ての電力需要家において省エネルギーを促進する必要がある。
【０００３】
例えば特許文献１に記載されている従来技術は、電力会社が提供する自動検針サービスを享受している電力需要家において、電力量計で計測されて通信回線を介して電力会社の自動検針サーバに送信される積算電力量などの電力情報を各電力需要家に設置されるサービス提供処理端末にも送信している。そして、サービス提供処理端末に受信される電力情報に基づき、例えば、電力の使い過ぎを知らせるなどして電力需要家に省エネルギーを意識させるようにしている。
【先行技術文献】
【特許文献】
【０００４】
【特許文献１】特開２００７−６５８９号公報
【発明の概要】
【発明が解決しようとする課題】
【０００５】
ところで、電力需要は地域や季節並びに天候などの種々の条件によって大きく変化するものであるから、全ての電力需要家に対して共通の省エネルギー目標値を一律に提示したところで、省エネルギーの目標達成率の向上は望めない。また、一部の電力需要家には無理なく達成可能な目標値であっても、別の電力需要家にとっては快適性や利便性を犠牲にするなどの無理をしなければ同じ目標値を達成できないこともある。
【０００６】
本発明は上記事情に鑑みて為されたものであり、その目的は、電力需要家が無理なく省エネルギー目標値を達成できるようにした省エネルギー促進システムに関するものである。
【課題を解決するための手段】
【０００７】
請求項１の発明は、上記目的を達成するために、複数の電力需要家の元にそれぞれ設置されて同一エリアに存在する１乃至複数の電力需要家に共通して設定される省エネルギー目標値を提示する複数の端末装置と、複数のエリア毎に設置され、各々のエリアに存在する１乃至複数の電力需要家の元に設置されている前記端末装置に対して省エネルギー目標値を設定する複数のエリアサーバ装置と、複数のエリア全体に対する省エネルギー目標値が電力会社から通知されるセンタサーバ装置とを備え、センタサーバ装置は、複数のエリア毎の特徴を考慮して、電力会社から通知される前記省エネルギー目標値をそれぞれのエリア毎に配分し、当該配分後のエリア別の省エネルギー目標値をそれぞれ対応するエリアのエリアサーバ装置に送信し、各エリアサーバ装置は、センタサーバ装置から受け取ったエリア別の省エネルギー目標値を当該エリアに存在する１乃至複数の電力需要家に対して再配分し、当該再配分後の電力需要家別の省エネルギー目標値を各電力需要家の元に設置されている端末装置に設定して提示させ、複数のエリアサーバ装置は、それぞれに過去のエネルギー需要の情報を蓄積する蓄積手段と、蓄積手段に蓄積された過去のエネルギー需要の情報に基づいて各エリア毎のエネルギー需要を予測するエネルギー需要予測手段とを具備し、当該エネルギー需要予測手段で予測するエネルギー需要を考慮してエリア別の省エネルギー目標値を設定し、エリアサーバ装置は、電力需要家における実際の電力需要が各エリア毎の省エネルギー目標値を達成していない期間が所定期間以上継続したらエネルギー需要予測手段でエネルギー需要を再予測することを特徴とする。
【０００８】
請求項１の発明によれば、複数のエリア毎の特徴を考慮して各エリア別の省エネルギー目標値が設定されるため、全ての電力需要家に対して一律に同じ省エネルギー目標値を設定する場合と比較して、電力需要家が無理なく省エネルギー目標値を達成でき、また、各電力需要家の実情に即した省エネルギー目標値を設定することができ、さらに、エリアの状況が変化して実際の電力需要と予測値との間の隔たりが大きくなったときにエネルギー需要を再予測することで各電力需要家の実情に即した省エネルギー目標値を設定することができる。
請求項２の発明は、上記目的を達成するために、複数の電力需要家の元にそれぞれ設置されて同一エリアに存在する１乃至複数の電力需要家に共通して設定される省エネルギー目標値を提示する複数の端末装置と、複数のエリア毎に設置され、各々のエリアに存在する１乃至複数の電力需要家の元に設置されている前記端末装置に対して省エネルギー目標値を設定する複数のエリアサーバ装置と、複数のエリア全体に対する省エネルギー目標値が電力会社から通知されるセンタサーバ装置とを備え、センタサーバ装置は、複数のエリア毎の特徴を考慮して、電力会社から通知される前記省エネルギー目標値をそれぞれのエリア毎に配分し、当該配分後のエリア別の省エネルギー目標値をそれぞれ対応するエリアのエリアサーバ装置に送信し、複数の端末装置は、省エネルギー目標値の達成要求に応じるか否かの選択結果を受け付ける選択結果受付手段と、選択結果受付手段で受け付ける前記選択結果を自己のエリアに設けられているエリアサーバ装置を介してセンタサーバ装置へ通知する通知手段とを具備し、センタサーバ装置は、端末装置から通知される前記選択結果に基づき、達成要求に応じない旨の選択結果の割合が所定値以上であれば当該端末装置が存在するエリアの省エネルギー目標値を変更することを特徴とする。
請求項２の発明によれば、複数のエリア毎の特徴を考慮して各エリア別の省エネルギー目標値が設定されるため、全ての電力需要家に対して一律に同じ省エネルギー目標値を設定する場合と比較して、電力需要家が無理なく省エネルギー目標値を達成でき、また、電力需要家の都合に合わせて無理なく省エネルギー目標値の達成を図ることができる。
【０００９】
請求項３の発明は、請求項１又は２の発明において、複数のエリアのうちの一部又は全部がさらに複数のエリアに細分化された階層構造を有しており、それぞれの階層における１乃至複数のエリア毎に前記エリアサーバ装置が設けられ、エリアサーバ装置の上位に位置するエリアサーバ装置では、センタサーバ装置若しくはさらに上位のエリアサーバ装置から受け取ったエリア別の省エネルギー目標値を複数の下位のエリア毎に再配分することを特徴とする。
【００１０】
請求項３の発明によれば、より広いエリアに対応することができる。
【００１１】
請求項４の発明は、請求項２の発明において、複数のエリアサーバ装置は、それぞれに温度や湿度などの環境指標を検出する環境指標検出手段と、環境指標検出手段で検出される環境指標に基づいて各エリア毎のエネルギー需要を予測するエネルギー需要予測手段とを具備し、当該エネルギー需要予測手段で予測するエネルギー需要を考慮してエリア別の省エネルギー目標値を設定することを特徴とする。
【００１２】
請求項４の発明によれば、各電力需要家の実情に即した省エネルギー目標値を設定することができる。
【００１３】
請求項５の発明は、請求項２の発明において、複数のエリアサーバ装置は、それぞれに過去のエネルギー需要の情報を蓄積する蓄積手段と、蓄積手段に蓄積された過去のエネルギー需要の情報に基づいて各エリア毎のエネルギー需要を予測するエネルギー需要予測手段とを具備し、当該エネルギー需要予測手段で予測するエネルギー需要を考慮してエリア別の省エネルギー目標値を設定することを特徴とする。
【００１４】
請求項５の発明によれば、各電力需要家の実情に即した省エネルギー目標値を設定することができる。
【００１５】
請求項６の発明は、請求項２の発明において、エリアサーバ装置は、電力需要家における実際の電力需要が各エリア毎の省エネルギー目標値を達成していない期間が所定期間以上継続したらエネルギー需要予測手段でエネルギー需要を再予測することを特徴とする。
【００１６】
請求項６の発明によれば、エリアの状況が変化して実際の電力需要と予測値との間の隔たりが大きくなったときにエネルギー需要を再予測することで各電力需要家の実情に即した省エネルギー目標値を設定することができる。
【００１７】
請求項７の発明は、請求項１又は２の発明において、センタサーバ装置は、全てのエリアサーバ装置に対して共通の省エネルギー目標値を配分することを特徴とする。
【００１８】
請求項８の発明は、請求項１の発明において、複数の端末装置は、省エネルギー目標値の達成要求に応じるか否かの選択結果を受け付ける選択結果受付手段と、選択結果受付手段で受け付ける前記選択結果を自己のエリアに設けられているエリアサーバ装置を介してセンタサーバ装置へ通知する通知手段とを具備し、センタサーバ装置は、端末装置から通知される前記選択結果に基づき、達成要求に応じない旨の選択結果の割合が所定値以上であれば当該端末装置が存在するエリアの省エネルギー目標値を変更することを特徴とする。
【００１９】
請求項８の発明によれば、電力需要家の都合に合わせて無理なく省エネルギー目標値の達成を図ることができる。
【００２０】
請求項９の発明は、請求項１〜８の何れか１項の発明において、エリアサーバ装置は、それぞれの電力需要家の元に設置されている電力量計から電力量の計測値を取得し、当該計測値に基づいて各電力需要家毎の省エネルギー目標値の達成度合を判定することを特徴とする。
【００２１】
請求項１０の発明は、請求項９の発明において、エリアサーバ装置は、省エネルギー目標値の達成度合が相対的に高い電力需要家に対しては、省エネルギー目標値の達成度合が相対的に低い電力需要家よりも省エネルギー目標値を多く配分することを特徴とする。
【００２２】
請求項１０の発明によれば、エリア全体の省エネルギー目標値達成に貢献している電力需要家を優遇することで電力需要家の省エネルギー目標値達成の意識を高めることができる。
【発明の効果】
【００２３】
本発明によれば、電力需要家が無理なく省エネルギー目標値を達成できるという効果がある。
【図面の簡単な説明】
【００２４】
【図１】本発明の実施形態を示すシステム構成図である。
【図２】（ａ）は同上におけるエリアサーバ装置のブロック図、（ｂ）は同上における端末装置のブロック図である。
【図３】同上における電力消費量と日平均気温の関係を示すグラフである。
【図４】（ａ）〜（ｃ）は同上における省エネルギー目標値の設定手順を説明するための説明図である。
【図５】（ａ）〜（ｃ）は同上における省エネルギー目標値の達成度合を判断する手順を説明するための説明図である。
【発明を実施するための形態】
【００２５】
以下、図面を参照して本発明の実施形態を詳細に説明する。本実施形態の省エネルギー促進システムは、図１に示すように複数の電力需要家の元（工場や事務所、住宅など）にそれぞれ設置されて同一エリアＡに存在する１乃至複数の電力需要家に共通して設定される省エネルギー目標値を提示する複数の端末装置ＴＵと、複数のエリアＡ毎に設置され、各々のエリアＡに存在する１乃至複数の電力需要家の元に設置されている端末装置ＴＵに対して省エネルギー目標値を設定する複数のエリアサーバ装置ＡＳと、複数のエリアＡ全体に対する省エネルギー目標値が電力会社から通知されるセンタサーバ装置ＳＳとを備えている。
【００２６】
本実施形態では、センタサーバ装置ＳＳが管轄する地域を３つの大エリアＡ１，Ａ２，Ａ３に分割するとともに、これら３つの大エリアＡ１，Ａ２，Ａ３をさらに複数の小エリアＡ１１，Ａ１２，Ａ１３に分割している（ただし、図示は大エリアＡ１内の小エリアＡ１１〜Ａ１３のみ）。これら３つの大エリアＡ１，Ａ２，Ａ３にはそれぞれ１台のエリアサーバ装置ＡＳ１，ＡＳ２，ＡＳ３が設置されている。また、３つの小エリアＡ１１，Ａ１２，Ａ１３にはそれぞれ１台のエリアサーバ装置ＡＳ１１，ＡＳ１２，ＡＳ１３が設置されている。ここで、センタサーバ装置ＳＳと大エリアＡ１〜Ａ３のエリアサーバ装置ＡＳ１〜ＡＳ３、並びに大エリアＡ１〜Ａ３の各エリアサーバ装置ＡＳ１〜ＡＳ３とそれぞれの小エリアＡ１１，Ａ１２，Ａ１３のエリアサーバ装置ＡＳ１１，ＡＳ１２，ＡＳ１３とは通信線Ｌｓによって接続されている（ただし、通信線Ｌｓは有線だけでなく無線＜空中線＞であっても構わない。）。さらに小エリアＡ１１においては、複数の電力需要家の元に１台ずつ設置されている端末装置ＴＵ１１，ＴＵ１２，…，ＴＵ１ｎとエリアサーバ装置ＡＳ１１とが通信線Ｌｓによって接続されている（ただし、通信線Ｌｓは有線だけでなく無線＜空中線＞であっても構わない。）。
【００２７】
エリアサーバ装置ＡＳは全て共通の構成を有し、図２（ａ）に示すようにマイクロコンピュータからなる制御部１と、通信線Ｌｓを介したデータ通信を行う通信部２と、電気的に書換可能な不揮発性の半導体メモリからなる記憶部３と、温度や湿度などの環境指標を検出するセンサ部４とを具備している。また端末装置ＴＵも全て共通の構成を有し、図２（ｂ）に示すようにマイクロコンピュータからなる端末制御部１０と、通信線Ｌｓを介したデータ通信を行う通信部１１と、電気的に書換可能な不揮発性の半導体メモリからなる記憶部１２と、液晶ディスプレイ等の表示デバイスに省エネルギー目標値などを表示（提示）する提示部１３と、押釦スイッチやタッチパネルなどを有する操作部１４とを具備している。なお、図示は省略するが、センタサーバ装置ＳＳの構成はセンサ部４を具備しない点を除いてエリアサーバ装置ＡＳと共通である。
【００２８】
センタサーバ装置ＳＳは、電力会社から通知される省エネルギー目標値ＱＴ（管轄地域全体の需要電力量：単位はｋＷｈ）を３つの大エリアＡ１〜Ａ３毎に配分し、配分した省エネルギー目標値ＱＡ１，ＱＡ２，ＱＡ３（ただし、ＱＴ＝ＱＡ１＋ＱＡ２＋ＱＡ３）の情報を各大エリアＡ１〜Ａ３のエリアサーバ装置ＡＳ１〜ＡＳ３に対して通信線Ｌｓを介して伝送する。なお、省エネルギー目標値ＱＴは、電力会社の保有する発電所の１日当たりの運用コストを削減するために必要な値に設定される。
【００２９】
ところで、センタサーバ装置ＳＳでは電力会社から通知される省エネルギー目標値ＱＴを３つの大エリアＡ１〜Ａ３に均等に配分するとは限らない。例えば、大エリアＡ２には工場などの大口需要家が多数存在しているが、他の大エリアＡ１，Ａ３には住宅などの小口需要家しか存在していない場合に各大エリアＡ１〜Ａ３の省エネルギー目標値ＱＡ１，ＱＡ２，ＱＡ３を等しく配分すると不都合の生じる虞がある。つまり、多数の大口需要家が存在する大エリアＡ２の省エネルギー目標値ＱＡ２を、小口需要家しか存在しない大エリアＡ１，Ａ３の省エネルギー目標値ＱＡ１，ＱＡ３と同じ値に設定すると、大エリアＡ２における省エネルギー目標値ＱＡ２の達成が他の大エリアＡ１，Ａ３に比べて相当に困難になると予想される。
【００３０】
そこで本実施形態におけるセンタサーバ装置ＳＳでは、上述のような各エリア（大エリアＡ１〜Ａ３）毎の特徴（大口需要家の有無及び個数）を考慮し、大エリアＡ２の省エネルギー目標値ＱＡ２を、大エリアＡ１，Ａ３の省エネルギー目標値ＱＡ１，ＱＡ３よりも多く配分するようにしている。ただし、各省エネルギー目標値ＱＡ１，ＱＡ２，ＱＡ３の配分割合については、それぞれの大エリアＡ１〜Ａ３における電力需要を勘案して決定すればよい。
【００３１】
また、各エリアサーバ装置ＡＳ１〜ＡＳ３では、センタサーバ装置ＳＳから通信線Ｌｓを介して伝送される省エネルギー目標値ＱＡ１，ＱＡ２，ＱＡ３の情報を通信部２で受信し、受信した情報が通信部２から制御部１に渡される。そして、エリアサーバ装置ＡＳ１の制御部１は、センタサーバ装置ＳＳから受け取った省エネルギー目標値ＱＡ１を小エリアＡ１１〜Ａ１３毎に再配分する。このときも、エリアサーバ装置ＡＳ１の制御部１では小エリアＡ１１〜Ａ１３毎の特徴、例えば、各小エリアＡ１１〜Ａ１３に属する電力需要家の個数の違いなどを考慮し、電力需要家の個数が相対的に多い小エリア（例えば、Ａ１１）の省エネルギー目標値ＱＡ１１が、電力需要家の個数が相対的に少ない小エリア（例えば、Ａ１２，Ａ１３）の省エネルギー目標値ＱＡ１２，ＱＡ１３よりも多くなるように再配分する。そして、エリアサーバ装置ＡＳ１では、制御部１が再配分した省エネルギー目標値ＱＡ１１，ＱＡ１２，ＱＡ１３（ただし、ＱＡ１＝ＱＡ１１＋ＱＡ１２＋ＱＡ１３）の情報を各小エリアＡ１１〜Ａ１３のエリアサーバ装置ＡＳ１１〜ＡＳ１３に対して通信線Ｌｓを介して伝送する。
【００３２】
小エリアＡ１１〜Ａ１３のエリアサーバ装置ＡＳ１１〜ＡＳ１３では、大エリアＡ１のエリアサーバ装置ＡＳ１から通信線Ｌｓを介して伝送される省エネルギー目標値ＱＡ１１，ＱＡ１２，ＱＡ１３の情報を通信部２で受信し、受信した情報が通信部２から制御部１に渡される。そして、エリアサーバ装置ＡＳ１１の制御部１は、エリアサーバ装置ＡＳ１から受け取った省エネルギー目標値ＱＡ１１をさらに複数台の端末装置ＴＵ１１，ＴＵ１２，…ＴＵ１ｎに再配分する。このとき、エリアサーバ装置ＡＳ１１の制御部１では各電力需要家毎の特徴、例えば、普段の電力需要（電力消費）が相対的に多い電力需要家に対する省エネルギー目標値ＱTU11が、普段の電力需要が相対的に少ない電力需要家に対する省エネルギー目標値ＱTU12，ＱTU13，…，ＱTU1nよりも多くなるように再配分する。そして、エリアサーバ装置ＡＳ１１では、制御部１が再配分した省エネルギー目標値ＱTU11，ＱTU12，ＱTU13，…，ＱTU1n（ただし、ＱＡ１１＝ＱTU11＋ＱTU12＋ＱTU13＋…＋ＱTU1n）の情報を各電力需要家の元に設置されている端末装置ＴＵ１１，ＴＵ１２，…，ＴＵ１ｎに対して通信線Ｌｓを介して伝送する。
【００３３】
各端末装置ＴＵ１ｉ（ｉ＝１，２，…，ｎ）では、小エリアＡ１１のエリアサーバ装置ＡＳ１から通信線Ｌｓを介して伝送される省エネルギー目標値ＱTU1iの情報を通信部１１で受信し、受信した情報が通信部１１から端末制御部１０に渡される。端末制御部１０は、エリアサーバ装置ＡＳ１１から受け取った省エネルギー目標値ＱTU1iを記憶部１２に記憶する。そして、端末制御部１０が記憶部１２に省エネルギー目標値ＱTU1iを記憶することで端末装置ＴＵ１ｉに対する省エネルギー目標値ＱTU1iの設定が完了する。
【００３４】
さらに端末制御部１０は、省エネルギー目標値ＱTU1iが設定されたとき、あるいは操作部１４で所定の操作入力が受け付けられたときに記憶部１２から省エネルギー目標値ＱTU1iを読み出して提示部１３に提示（表示）させる。ここで、提示された省エネルギー目標値ＱTU1iが普段の電力消費量よりも少ない場合、各電力需要家においては普段よりも電力消費量を削減する行動（以下、省エネ行動という。）を実施することで省エネルギー目標値ＱTU1iの達成を図ることができる。このような省エネ行動としては、例えば、暖房機器の設定温度を低くしたり、あるいは冷房機器の設定温度を高くするなどの行動が考えられる。
【００３５】
一方、電力需要家の元には電力会社によって電力量計（図示せず）が設置されているので、端末装置ＴＵの端末制御部１０で電力量計の計測値（例えば、積算電力量）を取得して当該計測値の情報を通信部１１から通信線Ｌｓを介してエリアサーバ装置ＡＳに送信することができる。そして、エリアサーバ装置ＡＳの制御部１が、端末装置ＴＵから受け取った計測値に基づいて各電力需要家毎の省エネルギー目標値ＱTU1iの達成度合（例えば、普段の電力消費量と計測値との差分）を算出する。算出された達成度合のデータはエリアサーバ装置ＡＳから各端末装置ＴＵに通信線Ｌｓを介して通知され、端末装置ＴＵの提示部１３において提示される。
【００３６】
またエリアサーバ装置ＡＳの制御部１は、省エネルギー目標値ＱTU1iの達成度合が相対的に高い電力需要家に対しては、省エネルギー目標値ＱTU1iの達成度合が相対的に低い電力需要家よりも省エネルギー目標値ＱTU1iを少なく配分するようにしても構わない。つまり、積極的に省エネ行動を行った電力需要家を優遇することで省エネ行動を促す効果が期待できる。
【００３７】
ところで、エリアサーバ装置ＡＳの制御部１は、センサ部４で検出する温度（気温）に基づいて各エリア毎の当日の電力需要を予測している。図３はある電力需要家における１日の電力消費量と日平均気温（１日の平均気温）との関係を実測した結果を示すグラフである。図３のグラフから明らかなように、冬季（谷の左側の領域）においては日平均気温が下がるにつれて電力消費量が増加し、夏季（谷の右側の領域）においては日平均気温が上がるにつれて電力消費量が増加している。これは、冬季は気温の低下に伴って暖房機器の消費電力が増加し且つ夏季は気温の上昇に伴って冷房機器の消費電力が増加することが主な原因と考えられる。
【００３８】
そこで、過去の電力消費量と日平均気温との実測値データに基づき、図４の（ａ），（ｂ），（ｃ）に実線で示すように各小エリアＡ１１，Ａ１２，Ａ１３毎の電力消費量と日平均気温との標準値を求めてエリアサーバ装置ＡＳ１，ＡＳ２，ＡＳ３の記憶部３に記憶しておく。そして、エリアサーバ装置ＡＳ１〜ＡＳ３の制御部１では、センサ部４で検出する当日の気温と記憶部３の記憶内容とを照合して当日の気温に対応した電力消費量の標準値を取得する。例えば、エリアサーバ装置ＡＳ１の制御部１は、大エリアＡ１に配分された省エネルギー目標値ＱＡ１を３つの小エリアＡ１１，Ａ１２，Ａ１３に均等に配分した基準値（＝ＱＡ１／３）と記憶部３から取得した各小エリアＡ１１，Ａ１２，Ａ１３毎の標準値とを比較する。そして、全ての小エリアＡ１１，Ａ１２，Ａ１３の標準値が基準値以下であれば、各小エリアＡ１１，Ａ１２，Ａ１３の省エネルギー目標値ＱＡ１１，ＱＡ１２，ＱＡ１３を当該基準値に等しくすればよい。また、小エリアＡ１１の標準値が基準値を超えており、その他の小エリアＡ１２，Ａ１３の標準値が基準値を下回っていれば、小エリアＡ１２，Ａ１３の省エネルギー目標値ＱＡ１２，ＱＡ１３を標準値と等しくし、基準値と省エネルギー目標値ＱＡ１２，ＱＡ１３の差分を小エリアＡ１１の省エネルギー目標値ＱＡ１１に加算することで基準値よりも大きい値（例えば、小エリアＡ１１の標準値）とする。
【００３９】
このようにエネルギー需要予測手段（制御部１）で予測するエネルギー需要（電力需要）を考慮してエリア別の省エネルギー目標値を設定すれば、各電力需要家の実情に即した省エネルギー目標値を設定することができる。
【００４０】
また、エリアサーバ装置ＡＳ１の制御部１では、エリアサーバ装置ＡＳ１１，ＡＳ１２，ＡＳ１３を介して逐次取得する各小エリアＡ１１，Ａ１２，Ａ１３毎の実際の消費電力量に基づいて当日の消費電力量を予測するとともに、当該予測値ＲＡ１１，ＲＡ１２，ＲＡ１３と省エネルギー目標値ＱＡ１１，ＱＡ１２，ＱＡ１３との差分ΔＷＡ１１，ΔＷＡ１２，ΔＷＡ１３を求めている。ここで、小エリアＡ１１，Ａ１２，Ａ１３の省エネルギー目標値ＱＡ１１，ＱＡ１２，ＱＡ１３が標準値と等しい値に設定され、それぞれの予測値ＲＡ１１，ＲＡ１２，ＲＡ１３がＲＡ１１＝ＱＡ１１，ＲＡ１２＞ＱＡ１２，ＲＡ１３＜ＱＡ１３であって、ΔＷＡ１１＝０，ΔＷＡ１２＝＋１００，ΔＷＡ１３＝−１００であると仮定する（図５（ａ），（ｂ），（ｃ）参照）。
【００４１】
そして、エリアサーバ装置ＡＳ１の制御部１は、図５（ａ）に示すように小エリアＡ１１において省エネルギー目標値ＱＡ１１が達成できる見込みであることを通信部２より小エリアＡ１１のエリアサーバ装置ＡＳ１１に通知する。エリアサーバ装置ＡＳ１１の制御部１は、エリアサーバ装置ＡＳ１から通知された前記情報を通信部２より各端末装置ＴＵ１ｉに通知する。各端末装置ＴＵ１ｉの端末制御部１０では、エリアサーバ装置ＡＳ１１から通知された前記情報を提示部１３に提示させる。このとき提示部１３には「省エネルギー目標値を達成できそうです。」というようなメッセージが提示（表示）される。
【００４２】
また、エリアサーバ装置ＡＳ１の制御部１は、図５（ｂ）に示すように小エリアＡ１２において省エネルギー目標値ＱＡ１２をΔＷＡ１２（＝１００ｋＷｈ）程度超える見込みであることを通信部２より小エリアＡ１２のエリアサーバ装置ＡＳ１２に通知する。エリアサーバ装置ＡＳ１２の制御部１は、エリアサーバ装置ＡＳ１から通知された前記情報を通信部２より各端末装置（図示せず）に通知する。各端末装置ＴＵの端末制御部１０では、エリアサーバ装置ＡＳ１２から通知された前記情報を提示部１３に提示させる。このとき提示部１３には「省エネルギー目標値を超えそうです。今後、１００ｋＷｈ程度の削減が必要です。」というようなメッセージが提示（表示）される。
【００４３】
さらに、エリアサーバ装置ＡＳ１の制御部１は、図５（ｃ）に示すように小エリアＡ１３において省エネルギー目標値ＱＡ１３をΔＷＡ１３（＝１００ｋＷｈ）程度下回る見込みであることを通信部２より小エリアＡ１３のエリアサーバ装置ＡＳ１３に通知する。エリアサーバ装置ＡＳ１３の制御部１は、エリアサーバ装置ＡＳ１から通知された前記情報を通信部２より各端末装置（図示せず）に通知する。各端末装置ＴＵの端末制御部１０では、エリアサーバ装置ＡＳ１３から通知された前記情報を提示部１３に提示させる。このとき提示部１３には「省エネルギー目標値を大きく下回りそうです。この調子で省エネを継続しましょう。」というようなメッセージが提示（表示）される。
【００４４】
ところで、小エリアＡ１１，Ａ１２，Ａ１３の省エネルギー目標値ＱＡ１１，ＱＡ１２，ＱＡ１３は大エリアＡ１の省エネルギー目標値ＱＡ１から配分されたものであるから、ＱＡ１１＋ＱＡ１２＋ＱＡ１３≦ＱＡ１の関係を満たしていれば、その配分割合をいつでも変更することができる。そこで、エリアサーバ装置ＡＳ１の制御部１は、小エリアＡ１２の省エネルギー目標値ＱＡ１２が達成困難であると判断した場合、小エリアＡ１３の実際の消費電力量の予測値ＲＡ１３と省エネルギー目標値ＱＡ１３との差分ΔＷＡ１３（省エネルギー目標値ＱＡ１３の余剰分）が十分に大きいか否かを判断する。そして、省エネルギー目標値ＱＡ１３の余剰分ΔＷＡ１３が十分に大きく、小エリアＡ１３の省エネルギー目標値ＱＡ１３を減らしても支障がないと判断すれば、エリアサーバ装置ＡＳ１の制御部１は小エリアＡ１２，Ａ１３の省エネルギー目標値ＱＡ１２，ＱＡ１３を再配分する。つまり、エリアサーバ装置ＡＳ１の制御部１は小エリアＡ１３の省エネルギー目標値ＱＡ１３の余剰分ΔＷＡ１３を小エリアＡ１２に回し（融通し）、小エリアＡ１２の省エネルギー目標値ＱＡ１２を増加させるとともに、小エリアＡ１３の省エネルギー目標値ＱＡ１３を減少させる。
【００４５】
そして、エリアサーバ装置ＡＳ１の制御部１は、小エリアＡ１２の省エネルギー目標値ＱＡ１２が増えたことを通信部２より小エリアＡ１２のエリアサーバ装置ＡＳ１２に通知する。エリアサーバ装置ＡＳ１２の制御部１は、エリアサーバ装置ＡＳ１から通知された前記情報を通信部２より各端末装置（図示せず）に通知する。各端末装置ＴＵの端末制御部１０では、エリアサーバ装置ＡＳ１２から通知された前記情報を提示部１３に提示させる。
【００４６】
また、エリアサーバ装置ＡＳ１の制御部１は、小エリアＡ１３の省エネルギー目標値ＱＡ１３が減ったことを通信部２より小エリアＡ１３のエリアサーバ装置ＡＳ１３に通知する。エリアサーバ装置ＡＳ１３の制御部１は、エリアサーバ装置ＡＳ１から通知された前記情報を通信部２より各端末装置（図示せず）に通知する。各端末装置ＴＵの端末制御部１０では、エリアサーバ装置ＡＳ１３から通知された前記情報を提示部１３に提示させる。
【００４７】
ところで、エリア内に新たな大口需要家（工場など）が増えたり、あるいは多数の小口需要家（住宅など）が増えると電力消費量と日平均気温との関係から導き出した標準値も変化（増加）することになる。そして、実情に合わない標準値を考慮して省エネルギー目標値を決定しても、そのような省エネルギー目標値を達成することは相当に困難であると考えられる。
【００４８】
そこで、エリアサーバ装置ＡＳ１の制御部１では、電力需要家における実際の電力需要（電力消費量）が各小エリアＡ１１，Ａ１２，Ａ１３毎の省エネルギー目標値ＱＡ１１，ＱＡ１２，ＱＡ１３を達成していない期間が所定期間（例えば、１週間〜１ヶ月）以上継続したらエネルギー需要の再予測、つまり、標準値を再度求める。これにより、常にエリアの実情に合った省エネルギー目標値を設定することが可能となる。
【００４９】
ところで、各電力需要家が電力会社から強制的に設定（配分）される省エネルギー目標値を必ずしも達成する必要は無いが、省エネルギー目標値を達成することで二酸化炭素排出量の削減などの社会貢献を果たすことができる。そこで、省エネルギー目標値の達成に関して各電力需要家の意思を尊重し、省エネルギー目標値の達成要求に応じない意思表示をする電力需要家の割合が高いエリアについては、省エネルギー目標値の配分割合を高くすることが望ましい。
【００５０】
具体的には、省エネルギー目標値の達成要求に応じるか否かを意思を確認するためのメッセージを端末制御部１０が提示部１３に提示させ、応じる／応じないの意思（選択結果）を操作部１４で受け付けて端末制御部１０に渡す。さらに端末制御部１０は操作部１４で受け付けた選択結果を通信部１１よりエリアサーバ装置ＡＳを経由してセンタサーバ装置ＳＳに送信する。センタサーバ装置ＳＳでは、端末装置ＴＵから受け取る選択結果に基づき、達成要求に応じない旨の選択結果の割合が所定値以上であれば当該端末装置ＴＵが存在するエリアの省エネルギー目標値を変更（大きく）する。このようにすれば、電力需要家の都合に合わせて無理なく省エネルギー目標値の達成を図ることができる。
【００５１】
なお、本実施形態では小エリアＡ１１〜Ａ１３並びに各端末装置ＴＵに対する省エネルギー目標値の配分をそれぞれのエリアサーバ装置ＡＳに委ねているが、全てのエリアサーバ装置ＡＳに対してセンタサーバ装置ＳＳから共通の省エネルギー目標値を配分するようにしても構わない。
【符号の説明】
【００５２】
ＳＳ  センタサーバ装置
ＡＳ１〜ＡＳ３，ＡＳ１１〜ＡＳ１３  エリアサーバ装置
ＴＵ１１〜ＴＵ１ｎ  端末装置
Ｌｓ  通信線
Ａ１〜Ａ３  大エリア
Ａ１１〜Ａ１３  小エリア
【図１】
0005479081.tif 000002
【図２】
0005479081.tif 000003
【図３】
0005479081.tif 000004
【図４】
0005479081.tif 000005
【図５】
0005479081.tif 000006